(57)【特許請求の範囲】
【請求項１】
背板と天板と側板と棚板と底板とを少なくとも備え、玄関土間と底板との間に空間を保った状態で壁吊り構造とされている壁吊り型玄関収納構造であって、
底板は一部が折り込み自在な構成とされており、かつ、入口側の下部には、左右の側板間にわたる支持部材が起伏自在に取り付けてあることを特徴とする壁吊り型玄関収納構造。
【請求項２】
背板と天板と側板と棚板と底板とを少なくとも備え、玄関土間と底板との間に空間を保った状態で壁吊り構造とされている壁吊り型玄関収納構造であって、
底板は背板または側板への取り付け部を支点として跳ね上げ可能とされており、かつ、入口側の下部には、左右の側板間にわたる支持部材が起伏自在に取り付けてあることを特徴とする壁吊り型玄関収納構造。
【発明の詳細な説明】
【０００１】
【発明の属する技術分野】
本発明は、建物の玄関などに配置または組み付けられる収納キャビネットや収納棚のような玄関収納構造に関する。
【０００２】
【従来の技術】
建物の玄関などに、履物や傘、あるいはベビーカーやゴルフバックのような種々の用具類を収納するために、収納キャビネットのような玄関収納構造を配置、あいるは壁などを利用して一体に組み付けることが行われる。玄関収納構造は、通常、背板と左右の側板を備え、そこに、天板と底板とが取り付けられる。また、天板と底板との間には、複数枚の固定棚板や可動棚板が配置される。必要に応じて扉も取り付けられる。底板を床面上に直接配置することなく、脚を取り付けて、あるいは全体を壁吊り状態として、底板と玄関土間などの床面との間に空間を取ることも行われる。
【０００３】
そのような玄関収納構造において、ベビーカーやゴルフバックのように底部に土や泥が付きやすいもの、あるいは濡れたままの傘などを収納すると、底板に汚れや水たまりができ、また、傷が付きやすく、見苦しくなる。そのことを考慮して、底板のない下方端が開放したオープンタイプの玄関収納構造や、底板全体を着脱自在とした玄関収納構造も提案されている（例えば、特開平１０−２０１５５０号公報など参照）。この種の玄関収納構造において、底板（底部）と玄関土間などとの間に空間をとるタイプのものにおいては、ゴルフバックやスノーボードのような長尺物を有効に収納できる効果もある。
【０００４】
【発明が解決しようとする課題】
前記した底板のまったくないオープンタイプのものは、底部の剛性が小さくなり構造的に不安定となる場合がある。また、履物のみを収容するような場合には、最下段の空間領域が無駄になる。底板を着脱自在とすることにより、上記の不都合をある程度は解消できるが、底板を取り外して使用するときには、底部の剛性が不足するのを避けられない。また、底板の着脱作業が容易でなく、取り外した底板を保管しておく場所も必要となる。
【０００５】
本発明は、上記の事情に鑑みてなされたものであり、常態では底板を備えた玄関収納構造において、構造的不安定さをもたらすことなく、かつ容易に底部の全部または一部に底板のない開放した部分を作り出すことのできる改良された玄関収納構造を提供することを目的とする。
【０００６】
【課題を解決するための手段】
上記の課題を解決するための本発明による玄関収納構造は、背板と天板と側板と棚板と底板とを少なくとも備えた玄関収納構造において、底板は一部が着脱自在な構成とされるか、折り込み可能な構成とされていることを特徴とする。また、他の態様では、底板の全体が背板または側板への取り付け部を支点として跳ね上げ可能とされていることを特徴とする。
【０００７】
上記構成の玄関収納構造では、底板がどのような使用態様下にあっても、その一部は常に左右の側板の間に位置することとなり、底部の剛性不足に伴う不都合は解消される。また、底板のない開放した部分を作る作業は、底板の一部を折り込むか、全体を跳ね上げるかであり、作業は容易である。当然に、元に戻す作業も容易である。底板の一部を着脱できるようにした態様の場合でも、底板全体を着脱する作業と比べれば、その作業はきわめて容易である。取り外した底板部分は、残っている底板の上に置いて保管することができ、特別の保管場所を必要とすることもない。
【０００８】
本発明による玄関収納構造の他の態様では、底板は底部の一部のみを閉鎖するようにして設けてあることを特徴とする。この態様では、部分的に底板は常時存在しており、底部の剛性は確保される。さらに、濡れたものや土の付いたものを収納するとき、あるいは長尺物を収容するときには、底板のない部分を有効に利用することができ、それと並行して、底板のある部分を履き物などを収納するのに利用することができる。
【０００９】
本発明の玄関収納構造において、入口側の下部に、左右の側板間にわたる支持部材を起伏自在に取り付けるようにしてもよい。この態様では、支持部材を起立させて左右の側板間に配置することにより、底部の剛性を一層高めることができ、構造的に安定する。同時に、その支持部材は収納した物品の前倒れ防止バーとしても機能する。必要としないときには、側板に沿って倒しておけば、邪魔になることもない。
【００１０】
【発明の実施の形態】
以下、図面を参照しながら、本発明による玄関収納構造のいくつかの実施の形態を説明する。図１は第１の実施の形態を示す斜視図であり、図２は図１に示す玄関収納構造を壁吊り構造として作る場合の正面図を、図３、図４はその断面による側面図を示している。
【００１１】
図１に示す玄関収納構造１は、トールボックスとして通称されるものであり、背板１１、天板１２、左右の側板１３、１３とで前が開放した縦長のボックスが作られ、該縦長のボックス内には、固定棚板１４と可動棚板１５とが所要枚数取り付けられる。また、一方の側板１３には、蝶番１６（図５ｃ参照）を用いて扉１７が取り付けられる。この構造は、従来知られた玄関収納構造と同様である。
【００１２】
本発明による玄関収納構造１において、左右の側板１３、１３の下端部には、背板１１と左右の側板１３、１３とで囲まれる領域の一部を開放した状態にできるようにして、底板２０が装着される。図１に示す例では、底板２０は、該領域の奥行き方向で２分割された前底板２１と後底板２２とで構成されており、前底板２１と後底板２２は蝶番２３によって回動自在に接続されている。そして、後底板２２を左右の側板１３、１３の間に固定した状態で、底板２０は左右の側板１３、１３の下端部に取り付けられる。
【００１３】
従って、前底板２１を、図１ａに示すように、水平な姿勢としたときには、玄関収納構造１の底部は、底板２０によりその全部が閉鎖された状態となり、図１ｂで示すように、前底板２１を上に跳ね上げて後底板２２に重ねた姿勢としたときには、底部の一部（この例では、前側１／２の領域）は底のない状態（開放された状態）となる。この状態でも、側壁１３の下端部は後底板２２により支持されており、構造的に所要の剛性は確保される。
【００１４】
玄関収納構造１の使用者は、通常の使用時には底部を閉鎖した図１ａの状態としておく。濡れた傘や泥の付いた履物などを収納する場合には、図１ｂに示すように前底板２１を単に上に跳ね上げて後底板２２に重ねた姿勢とする。それにより、汚れのない状態で玄関収納構造１を使用することができる。後記するように、壁吊り構造として玄関収納構造１を作る場合には、玄関収納構造１の内部空間とその玄関土間までの下方空間とを有効に利用して、スノーボードのような長尺物を効果的に収納することができる。このような使用態様の切り替えはきわめて容易であり、また、容易に元の状態に戻すこともできる。
【００１５】
本発明による玄関収納構造１は、図１に示すように、独立した家具として製造してもよく、既存の建物の玄関などの壁面に、後から作り付けることもできる。図２〜図４は、後者の場合での構築例の一例を示している。最初に、必要に応じて、建物躯体３０に下地補強材３１を固定し、そこに、玄関土間３０ａと距離Ｄをおくようにして、背板１１を下地補強材３１に対してビス３２によりを固定する。固定した背板１１の下端には支持桟３４を同様にして固定し、背板１１の安定化を図る。そして、固定された背板１１に対して、天板１２、左右の側板１３、１３、固定棚板１４、可動棚板１５、および前記した底板２０を取り付け、最後に、扉１７を取り付ける。これにより、玄関土間３０ａとの間に距離Ｄの空間を保った状態で、壁吊り構造物としての玄関収納構造１ができあがる。図３は、図１ａに相当する図であり、前底板２１は水平な姿勢とされ、玄関収納構造１の底部は、底板２０によりその全部が閉鎖されている。図４は、図１ｂに相当する図であり、前底板２１を跳ね上げられて後底板２２に重ねた姿勢となり、底部の前側１／２の領域は底のない開放された状態となっている。
【００１６】
図５は、棚板１４、１５や扉１７を側板１３、１３に取り付ける手段の一例を示している。図５ａは固定棚板１４を側板１３に固定する手段の例であり、Ｌ型金具４１をその垂直片部分４２を側板１３にねじＳ１で止め付けることにより固定し、該垂直片部分４２の側板１３から離れて立ち上がっている部分４２ａを、固定棚板１４に取り付けた受け金具４３の開口４４に挿入した状態とした後、ねじＳ２でＬ型金具４１の水平部分４５と受け金具４３とを止め付けることにより、固定棚板１４は側板１３に固定される。図示しないが、側板１３の木口面に挿入した棚ダボと、側板１３に形成した棚ダボ穴４７（図５ｂ参照）とによる固定であってもよい。なお、図５ａに示す固定手段は、上記した後底板２２と側板１３、１３との固定手段としても用いることができる。
【００１７】
図５ｂは、可動棚板１５と側板１３との間の取り付け例を示している。ここでは、側板１３に形成した棚ダボ穴４７に棚ダボ４８を差し込んでおき、棚ダボ４８の上に可動棚板１５を載せることにより、着脱自在に可動棚板１５を側板１３に対して取り付けている。なお、図５ｂに示す取り付け手段は、上記した前底板２１を側板１３、１３の下端部で安定的に支持する手段の１つとしても用いることができる。図５ｃは、扉１７を側板１３に取り付けるための取り付け金具（蝶番）１６を示している。このような蝶番１６は周知のものであり、説明は省略する。
【００１８】
図６、図７は、本発明による玄関収納構造１において、背板１１と左右の側板１３、１３とで囲まれる領域の一部を開放した状態とする底板２０の他の例を示している。図６ａに示す例では、底板２０が前底板２１と後底板２２で構成され、両者が蝶番２３により連結されている点では、図１に示したものと同様であるが、ここでは、前底板２１が側板１３、１３に対して固定され、後底板２２が跳ね上げ可能とされている点で相違している。この態様では、背板１１側に底板のない領域が形成され、入口側には少なくとも前底板２１が存在しているので、そこを利用して傘やスキーなどを収納した場合、扉１７を開けたときに前側に倒れ込むようなことはなく、安定した収納姿勢が得られる。
【００１９】
図６ｂのものは、前底板２１と後底板２２はそれぞれ独立しており、後底板２２は図１に示したものと同様にして側板１３、１３に固定されるが、前底板２１は、側板１３に取り付けた棚ダボ（不図示）や受け材５０などによって、単に下から支持されているに過ぎない（図６ｂ１）。必要な場合に、使用者は、前底板２１を単に引き上げて、それを後底板２２の上に重ね置くようにする（図６ｂ２）。この態様でも、後底板２２によって、側壁１３の下端部における剛性は確保される。また、使用態様の切り替えも容易であり、取り外した前底板２１の保管も容易である。
【００２０】
図６ｃの例では、底板２０は、背板１１と左右の側板１３、１３とで囲まれる領域のすべてを覆うことのできる大きさのものであり、その背板１１側の端部を支点として上方に跳ね上げ可能な状態で、蝶番５１などの枢支手段により、側板１３、１３に取り付けられている。該底板２０の水平状態での姿勢保持は、側板１３に取り付けた棚ダボ（不図示）や受け材５０などによって行えばよい。この場合でも、底板がまったくないいわゆるオープンタイプのものと比較して、側板１３の下端側の剛性をより高いものとすることができる。また、使用態様の切り替えも容易である。
【００２１】
図７ａの例では、底板２０は、背板１１と左右の側板１３、１３とで囲まれる領域の入口側が空くようにして、その奥行きの１／２〜１／３程度の領域を閉鎖するように設けてある。この場合には、底部の一部の領域は常時開放した状態となるが、側壁１３の下端部における剛性を確保する目的、および、底部を汚さないような使い方をとることができるようにする目的、長尺物の収納を可能とする目的は、いずれも達成される。
【００２２】
図７ｂの例では、底板２０は、背板１１と左右の側板１３、１３とで囲まれる領域の背板１１側が空くようにして、入口側に取り付けてあり、該底板２０は、側板１３に取り付けた蝶番５２により、側板１３側に起伏自在に支持されている。他方の側板１３には留め具５３が取り付けられ、該留め具５３の突起５４が底板２０に形成した通孔５５と係合することにより、底板２０は水平姿勢で安定した状態となる。必要な場合には、底板２０は仮想線で示すように側板１３側に立ち上げた姿勢とされ、それにより、底部の全領域が開放した状態となる。
【００２３】
なお、上記の例では、底板２０として、すべて隙間のない平板を例示したが、隙間のある底板、例えば、図７ｃに示すように格子状とされた底板２０ａを用いるようにしてもよい。このような隙間のある底板２０ａは、前記したすべての態様のものにおいて、底板の全部または一部として採用することができる。
【００２４】
図８は、本発明による玄関収納構造のさらに他の実施の形態を示している。この形態は、前述してきた玄関収納構造１の側方に従来知られた固定した底板を備えた玄関収納構造１００を併設している点に特徴がある。図では一方側にのみ併設しているが、両側に併設してもよい。このような組み合わせ態様を取ることにより、玄関収納構造の使用形態を一層効果的、効率的にすることができる。
【００２５】
図９は、本発明による玄関収納構造のさらに他の形態を示している。この形態は、入口側の下部に、左右の側板１３、１３間にわたる支持部材６０が起伏自在に取り付けられている点で、上記したものと相違している。支持部材６０は、実線で示す倒れた位置と、仮想線で示す起立した位置とを選択的に取り得るようになっており、支持部材６０を起立させて左右の側板１３、１３間に配置することにより、底部の剛性を一層高めることがでる。また、支持部材６０は収納した物品の前倒れ防止バーとしても機能する。必要としないときには、側板１３に沿って倒しておけば、邪魔になることもない。この支持部材６０は、上記したすべての形態の底板２０とともに用いうることは当然である。
【００２６】
【発明の効果】
本発明による玄関収納構造では、構造的不安定さをもたらすことなく、かつ容易に、底部に底板のない開放した部分を作り出すことができる。そのために、通常の使用状態と、濡れた傘や泥の付いた履物などを収納する場合とでの使い分けを、容易かつ安定した状態で行うことができる。特に、壁吊り構造として玄関収納構造を作る場合には、玄関収納構造の内部空間とその玄関土間までの下方空間とを有効に利用して、スノーボードのような長尺物を効果的に収納できるようになる。
【図面の簡単な説明】
【図１】本発明による玄関収納構造の一実施の形態を示す斜視図。
【図２】図１に示す玄関収納構造を壁吊り構造として作る場合の正面図。
【図３】図１に示す玄関収納構造を壁吊り構造として作る場合の側面図で側板は水平な姿勢にある。
【図４】図１に示す玄関収納構造を壁吊り構造として作る場合の側面図で側板は重ねられた姿勢にある。
【図５】棚板や扉を側板に取り付ける手段の一例を示す図。
【図６】本発明による玄関収納構造における底板の他の例を示す図。
【図７】本発明による玄関収納構造における底板のさらに他の例を示す図。
【図８】本発明による玄関収納構造のさらに他の実施の形態を示す図。
【図９】本発明による玄関収納構造に用いる支持部材を説明する図。
【符号の説明】
１…玄関収納構造、１１…背板、１２…天板、１３…側板、１４…固定棚板、１５…可動棚板、１７…扉、２０…底板、２１…前底板、２２…後底板、２３…蝶番、６０…支持部材
【図１】
0003916487.tif 000002
【図２】
0003916487.tif 000003
【図３】
0003916487.tif 000004
【図４】
0003916487.tif 000005
【図５】
0003916487.tif 000006
【図６】
0003916487.tif 000007
【図７】
0003916487.tif 000008
【図８】
0003916487.tif 000009
【図９】
0003916487.tif 000010